(57)【要約】  本発明は、雨水自動供給栽培装置に関するもので、雨水をろ過及び貯蔵し、所定量の水位を常時維持し、水位を超える水を排出し貯蔵してから供給する循環過程により、自動的に水を常時供給する雨水自動供給栽培装置に関するものである。【選択図】図1
2017515505.tif 000002
【特許請求の範囲】
【請求項１】
雨水を貯蔵して植物を栽培する栽培装置であって、
雨水を受けて貯蔵する雨水貯蔵タンクと、
流入する水をポンプによって内部に貯蔵し、貯蔵された水を排出する回収タンクと、
前記雨水貯蔵タンク及び前記回収タンクにそれぞれ越流管が連結され、前記越流管より高い水位の水を受けて貯蔵する貯水タンクと、
前記貯水タンクと前記回収タンクから供給管を介して水が供給され、一定水位が超えると、前記回収タンクと連結された前記越流管を介して水を排出する水位調節タンクと、
前記水位調節タンクと前記移送管とで連結されて水を供給及び排出することで同じ水位を維持することができる貯水槽と、植物を栽培するポートが結合されるポート板とからなる栽培部とを含むことを特徴とする、雨水自動供給栽培装置。
【請求項２】
前記越流管より高い水位の水は、前記雨水貯蔵タンク、前記貯水タンク、前記回収タンク及び前記水位調節タンクにそれぞれ連結された前記越流管を介して排出されることを特徴とする、請求項１に記載の雨水自動供給栽培装置。
【請求項３】
前記供給管の端部には、前記水位調節タンクの内部に挿入され、流入水の水量を制御することができる浮力具が結合された栓が含まれることを特徴とする、請求項１に記載の雨水自動供給栽培装置。
【請求項４】
前記栽培部は、上下部が貫通されポートが結合されるポート板と、前記ポート板の下部に結合され内部に水が貯水され、前記ポートに植え込まれる植物に芯を介して水分を供給する貯水槽とからなることを特徴とする、請求項１に記載の雨水自動供給栽培装置。
【請求項５】
前記ポート板の上部には、雨水を誘導するガイド溝が形成され、前記ガイド溝によって誘導された雨水が前記貯水槽に流入する流入溝が形成されることを特徴とする、請求項１に記載の雨水自動供給栽培装置。
【発明の詳細な説明】
【技術分野】
【０００１】
本発明は雨水自動供給栽培装置に関するもので、雨水をろ過及び貯蔵して所定量の水位を常時維持し、水位を超える水を排出して貯蔵した後に供給する循環過程によって自動で水を常時供給する雨水自動供給栽培装置に関するものである。
【背景技術】
【０００２】
一般に、植物の水耕栽培において、複数の底排水孔が穿孔された栽培容器に培養土、スポンジ、綿などを敷き、これに植物を植えるか種蒔きをした後、排水槽上にこの栽培容器を取り付けて栽培する。
【０００３】
しかし、このような水耕栽培設備は、植物の種類、培養土の水分含有などによって適正な灌水を行わなければならなく、その灌水時期に非常に気を付けなければならなく、これを疎かにする場合、植物を枯死させることになる。
【０００４】
また、多数の栽培容器を使って植物を栽培するとき、それぞれの栽培容器にいちいち灌水を行わなければならない問題点がある。
【０００５】
これを解決するために、公知の技術として、「雨水利用栽培箱を用いたいささ川構造」（特許文献１）が提示されたことがある。
【０００６】
これは、雨水を貯水することができる大型箱の内部下端に雨水貯水タンクを形成し、内部上端部には小さな植木鉢又は砂、砂利ろ過層を支える支持部が設けられ、支持部上に小さな植木鉢を配置する構成からなる。
【０００７】
これにより、雨水を貯水し、植物の種類によって貯水タンクの水位を調節し、下端部に貯蔵された水量を確保することになる。
【０００８】
しかし、このような栽培箱は、ろ過された雨水を用いて植物を栽培するとき、多量の雨水を貯蔵することができないため長期間の使用ができなく、梅雨などの時期に多量の雨水を貯蔵することができなく、栽培箱の内部が雨水によって破損されることがあり得る。
【０００９】
また、日照りなどの時期には多量の水を貯蔵することができないため、外部から水を供給しなければならない不便な点がある。
【先行技術文献】
【特許文献】
【００１０】
【特許文献１】大韓民国公開特許第１０−２０１０−０１０７６６５号
【発明の概要】
【発明が解決しようとする課題】
【００１１】
本発明は、前記のような問題点を解決するために案出されたもので、本発明の目的は、雨水をろ過及び貯蔵するタンクによって多量の雨水を貯蔵して、植物に所定水位の水を常時供給し、水位を超える水を排出して貯蔵した後に再供給する循環過程によって植物の枯死を防止する雨水自動供給栽培装置を提供することにある。
【課題を解決するための手段】
【００１２】
前述したような目的を達成するために本発明は、雨水を貯蔵して植物を栽培する栽培装置であって、雨水を受けて貯蔵する雨水貯蔵タンクと、流入する水をポンプによって内部に貯蔵し、貯蔵された水を排出する回収タンクと、前記雨水貯蔵タンク及び前記回収タンクにそれぞれの越流管が連結され、前記越流管より高い水位の水を受けて貯蔵する貯水タンクと、前記貯水タンクと前記回収タンクから供給管を介して水を受け、所定水位を超えると、前記回収タンクと連結された前記越流管を介して水を排出する水位調節タンクと、前記水位調節タンクと前記移送管とを介して水を供給及び排出することで同一の水位を維持することができる貯水槽と植物を栽培するポートが結合されるポート板とからなる栽培部とを含むことを特徴とする。
【００１３】
前記越流管より高い水位の水は、前記雨水貯蔵タンク、前記貯水タンク、前記回収タンク及び前記水位調節タンクにそれぞれ連結された前記越流管に流入して排出されることが好ましい。
【００１４】
前記供給管の端部には、前記水位調節タンクの内部に挿入され流入される水の水量を制御することができる浮力具が結合された栓が含まれることが好ましい。
【００１５】
前記栽培部は、上下部が貫通され、ポートが結合されるポート板と、前記ポート板の下部に結合され、内部に水が貯水され、前記ポートに植え込まれる植物に芯を介して水分を供給する貯水槽とからなることが好ましい。
【００１６】
前記ポート板の上部には雨水をガイドするガイド溝が形成され、前記ガイド溝によって誘導された雨水が前記貯水槽に流入する流入溝が形成されることが好ましい。
【発明の効果】
【００１７】
本発明による雨水自動供給栽培装置によると、雨水をろ過し、多量をタンクに貯蔵し、貯蔵された水を植物に所定水位をもって常時供給することにより植物の枯死を防止し、貯蔵された水の量が水位を超えると排出後に貯蔵して使えるように循環が可能なので、多くの時間をかけなくても植物栽培が可能である。
【００１８】
また、植物栽培部を設置場所に合わせて減縮及び拡張設計が可能なので、さまざまな場所に設置して使える。
【図面の簡単な説明】
【００１９】
【図１】本発明による雨水自動供給栽培装置の構成を示す平面図である。
【図２】本発明による雨水の循環過程を示す断面図である。
【図３】本発明による水位調節タンクの作動状態を示した断面図である。
【図４】本発明による栽培部を示す斜視図である。
【図５】本発明による栽培部に水が供給される状態を示した断面図である。
【図６】本発明による栽培部が個別的に設置された状態を示した断面図である。
【発明を実施するための形態】
【００２０】
以下、本発明による雨水自動供給栽培装置について添付図面に基づいて詳しく説明する。
【００２１】
図１は本発明による雨水自動供給栽培装置の構成を示す平面図、図２は本発明による雨水の循環過程を示す断面図、図３は本発明による水位調節タンクの作動状態を示した断面図である。
【００２２】
図１〜図３に示したように、本発明は雨水自動供給栽培装置に関するもので、雨水をろ過及び貯蔵し、所定水位を常時維持し、水位を超える水を排出して貯蔵後に供給する循環過程によって、自動で水を常時供給する雨水自動供給栽培装置に関するものである。
【００２３】
このような雨水自動供給栽培装置は、大きく５つの部分に区分され、それは、雨水貯蔵タンク１０、回収タンク２０、貯水タンク３０、水位調節タンク４０及び栽培部５０に区分される。
【００２４】
前記雨水貯蔵タンク１０は、屋根、軒などから供給される雨水を貯蔵し、初期の雨水及び異物をろ過して、ろ過された雨水を排出する。
【００２５】
前記回収タンク２０は、流入する雨水及び水をポンプによって内部に貯蔵し、一定水位を超えれば排出する。
【００２６】
前記貯水タンク３０は、前記雨水貯蔵タンク１０及び前記回収タンク２０とそれぞれの越流管６０を介して連結され、前記越流管６０より高い水位の水を受けて貯蔵する。
【００２７】
前記水位調節タンク４０は、前記貯水タンク３０及び前記回収タンク２０と供給管７０を介して連結され水の供給を受け、一定水位を超えれば、前記回収タンク２０と連結された前記越流管６０を通じて水を排出する。
【００２８】
すなわち、前記雨水貯蔵タンク１０によってろ過された雨水が前記貯水タンク３０に供給され貯蔵した後、前記貯水タンク３０及び前記回収タンク２０と連結された供給管７０を通じて貯蔵水を前記水位調節タンク４０に供給することになる。
【００２９】
そして、前記水位調節タンク４０に供給された水は、前記水位調節タンク４０に結合された前記越流管６０より高い水位の水を排出される。
【００３０】
また、前記回収タンク２０には、前記ポンプ２１によって流入される水が貯蔵され、前記回収タンク２０の水位を超えれば、前記越流管６０を通じて排出され前記貯水タンク３０に供給される。
【００３１】
また、前記雨水貯蔵タンク１０、前記貯水タンク３０、前記回収タンク２０及び前記水位調節タンク４０にそれぞれ結合された前記越流管６０は、水が流入する端部が各タンクの上部に結合され、前記越流管６０より高い水位の水が流入する。
【００３２】
また、前記越流管６０を通じて水が排出される端部は、各タンクの下部に結合され、水位によって上部から流入する水を排出する。
【００３３】
これにより、前記回収タンク２０、前記貯水タンク３０及び前記水位調節タンク４０の所定高さに前記越流管６０を取り付けて、貯蔵された雨水が所定水位を超えれば循環し、それぞれのタンクで水位を調節することによって溢水を防止する。
【００３４】
そして、図２に示したように、前記雨水貯蔵タンク１０の内部に貯蔵されてろ過された水のうち、前記雨水貯蔵タンク１０の上部に連結された前記越流管６０より高い水位の水が流入して前記貯水タンク３０に排出される。
【００３５】
そして、前記回収タンク２０に貯蔵された水は、前記水位調節タンク４０と連結された前記供給管７０を通じて供給される。
【００３６】
また、前記回収タンク２０に貯蔵された水が前記水位調節タンク４０への供給が中断されて水位が上昇すれば、前記貯水タンク３０と連結された前記越流管６０を通じて水を排出する。
【００３７】
最後に、前記水位調節タンク４０に貯蔵された水は、前記回収タンク２０と連結された前記越流管６０より高い水位を維持する場合、前記越流管６０に流入して前記回収タンク２０に排出されて循環される。
【００３８】
また、前記貯水タンク３０に貯蔵された水は、前記水位調節タンク４０と連結された前記供給管７０を通じて移動する。
【００３９】
そして、前記供給管７０は、前記貯水タンク３０と前記回収タンク２０にそれぞれ連結され、水の供給を受ける。
【００４０】
この際、多数の前記水位調節タンク４０と連結される前記越流管６０を通じて個別的に排出されて単一管に流入し、前記ポンプ２１によって前記回収タンク２０の内部に供給される。
【００４１】
また、前記貯水タンク３０と前記回収タンク２０にそれぞれ連結されている供給管７０には、水の供給路を開閉するバルブ７１が含まれる。
【００４２】
ここで、前記バルブ７１は前記水位調節タンク４０から水が供給される前記供給管７０と、前記貯水タンク３０から水が供給される前記供給管７０とを個別的に開放及び閉鎖して水の供給を制御できるように構成される。
【００４３】
したがって、前記供給管７０に形成された前記バルブ７１を操作することにより、前記貯水タンク３０又は前記回収タンク２０から個別的に水を供給するか、あるいは同時に水を供給できるように制御することができる。
【００４４】
また、前記水位調節タンク４０と前記栽培部５０に対する水の供給及び排出が自在にできるように取り付けられるので、設置環境に合わせて常時水位調節タンク４０と前記栽培部５０とを多数設置することができる。
【００４５】
そして、図３に示したように、前記供給管７０の端部には、前記水位調節タンク４０の内部に挿入され、流入される水量を制御することができる浮力具９１が結合された栓９０が含まれる。
【００４６】
ここで、前記栓９０は、図３の（ａ）に示すように、前記水位調節タンク４０の内部に挿入される前記供給管７０に結合され、前記水位調節タンク４０の内部の水位が低くなると、前記浮力具９１の浮力によって前記栓９０が開放され前記貯水タンク３０及び前記回収タンク２０から水が供給される。
【００４７】
そして、図３の（ｂ）に示すように、前記水位調節タンク４０の内部の水が所定水位に到逹すれば、前記浮力具９１によって前記栓９０が閉鎖され、水の供給が中断される。
【００４８】
これにより、前記水位調節タンク４０の内部では所定水位が常時維持され、溢れる水量は前記回収タンク２０に排出されて貯蔵され、前記水位調節タンク４０の水量が低くなれば、前記回収タンク２０に貯蔵されている水が供給される。
【００４９】
図４は本発明による栽培部を示す斜視図であり、図５は本発明による栽培部に水が供給される状態を示した断面図である。
【００５０】
図４に示すように、前記栽培部５０は、前記水位調節タンク４０と移送管８０を介して連結され、水を供給及び排出し、前記水位調節タンク４０と同じ水位を維持することができる貯水槽５１と、植物を栽培するポート５３が結合されるポート板５２とからなる。
【００５１】
ここで、前記栽培部５０は、図５に示したように、上下部が貫通され前記ポート５３が結合される前記ポート板５２と、前記ポート板５２の下部に結合され、内部に水が貯水され、前記ポート５３に植え込まれる植物に芯５４を介して水分を供給する貯水槽５１とからなる。
【００５２】
この際、前記ポート５３は、前記ポート板５２より上方に突出するように結合することにより、前記ポート板５２の上部に溜まる雨水が前記ポート５３に流入することを防止する。
【００５３】
そして、前記ポート板５２の下部には突起５６が形成され、前記貯水槽の上部には前記突起５６に対応する突起溝５７が形成される。
【００５４】
これにより、前記突起５６が前記突起溝５７に結合され、前記ポート板５２に加わる風や外部の衝撃などによって前記貯水槽５１と前記ポート板５２が任意に分離されることを防止する。
【００５５】
また、前記栽培部５０は、前記水位調節タンク４０と前記移送管８０を介して連結されて多数の配列が可能なので、設置場所及び植物の種類によって多様に減縮及び拡張して設置することができる。
【００５６】
そして、前記ポート板５２の上部には雨水を誘導するガイド溝５５が形成され、前記ガイド溝５５によって誘導された雨水が前記貯水槽５１に流入される流入溝５５ａが形成される。
【００５７】
ここで、前記ポート板５２の上部から雨水の供給を受けて前記貯水槽５１に貯蔵することができ、前記貯水槽５１の水位が増加すれば、前記移送管８０を介して前記水位調節タンク４０に水を排出する。
【００５８】
したがって、前記貯水槽５１の水位が所定量以上に増加すると、前記水位調節タンク４０に排出して前記貯水槽５１の内部水位を調節し、前記水位調節タンク４０によって前記回収タンク２０に水を排出することができる。
【００５９】
そして、前記ポート板５２の上部中央には水分供給溝５８が形成され、前記ポート板５２の内部に水分及び養液を供給することができる多数の供給溝５８ａが形成される。
【００６０】
したがって、前記水分供給溝５８に水分及び養液を供給すれば、前記供給溝５８ａを介して前記ポート板５２の内部に貯蔵することができ、前記ガイド溝５５から分離され水分及び養液が前記ガイド溝５５によって貯水槽５１に排出されることを防止する。
【００６１】
最後に、図６は本発明による栽培部が個別に設置された状態を示す断面図である。図６に示すように、前記栽培部５０は、家庭のベランダなどの屋内で使えるように個別に設置することが可能である。
【００６２】
ここで、前記貯水槽５１に結合された前記移送管８０を前記越流管６０に取り替えれば、貯水槽５１内部の水が所定水位を超えて溢れると外部に排出される。
【００６３】
すなわち、前記栽培部５０を個別的に設置した後、前記ガイド溝５５及び前記流入溝５５ａを介して前記貯水槽５１の内部に水を供給して貯蔵し、前記貯水槽５１の水位が所定水位を超える場合は、前記越流管６０を介して外部に排出させる。
【００６４】
そして、前記水分供給溝５８によってガイドされた水分及び養液が前記供給溝５８ａを通じて前記ポート板５２の内部に貯蔵され、植物に営養分を供給する。
【００６５】
以上のように、本発明の権利は、前述の実施例に限定されなく、請求範囲の記載によって定義され、本発明の分野で通常の知識を有する者が請求範囲に記載している権利範囲内で多様な変形及び改変が可能であるというのは自明である。
【図１】
2017515505.tif 000003
【図２】
2017515505.tif 000004
【図３】
2017515505.tif 000005
【図４】
2017515505.tif 000006
【図５】
2017515505.tif 000007
【図６】
2017515505.tif 000008
【国際調査報告】
2017515505.tif 000009
2017515505.tif 000010
2017515505.tif 000011
2017515505.tif 000012